(57)【要約】【課題】側面フレームが背面フレーム側に折畳まれた収納姿勢と、ごみ袋を収容可能に展開された展開姿勢とに切換え可能な折畳み式ごみ集積装置において、一人でも容易に収納姿勢と展開姿勢とに姿勢切換を行うことができるとともに、よりコンパクトに収納できる折畳み式ごみ集積装置を提供することを課題としている。【解決手段】収納姿勢とごみ収容スペースが形成される展開姿勢とに切換可能に構成された折畳み式ごみ集積装置において、背面フレーム１上端側と側面フレーム２上端側とを支持リンク９によって連結し、支持リンク９が、収納姿勢への切換えによって背面フレーム１側に収納されるとともに、展開姿勢への切換えによってごみ収容スペースＳ上方に展開されるように、前記支持リンク９を構成し、前記ごみ収容スペースＳ上方に展開された支持リンク９上に、ごみ収容スペースＳの上方を覆うシート状の天井部１６を載置して支持する。【選択図】図１
2012171736.tif 000002
【特許請求の範囲】
【請求項１】
背面フレーム（１）と、該背面フレーム（１）の左右両端端側にそれぞれ水平回動自在に支持された左右の側面フレーム（２，２）とを備え、上記水平回動によって、背面フレーム（１）側に折畳まれて収納された収納姿勢と、背面フレーム（１）側から正面側に突出させて展開させた展開姿勢とに切換可能に前記左右の各側面フレーム（２，２）を構成し、展開姿勢に切換えられた左右の側面フレーム（２，２）の間に、ごみ収容スペース（Ｓ）を形成する折畳み式ごみ集積装置において、背面フレーム（１）上端側と側面フレーム（２）上端側とを支持リンク（９）によって連結し、支持リンク（９）が、側面フレーム（２）の収納姿勢への切換えによって背面フレーム（１）側に収納されるとともに、側面フレーム（２）の展開姿勢への切換えによってごみ収容スペース（Ｓ）上方に展開されるように、前記支持リンク（９）を構成し、前記ごみ収容スペース（Ｓ）上方に展開された支持リンク（９）上に、ごみ収容スペース（Ｓ）の上方を覆うシート状の天井部（１６）を載置して支持する折畳み式ごみ集積装置。
【請求項２】
前記支持リンク（９）は、中途部に設けた屈折部（１３）を介して折畳み可能に形成し、収納姿勢への切換えによって背面フレーム（１）側に折畳まれるとともに、展開姿勢への切換えによって平面視側面フレーム（２）側と背面フレーム（１）側との間に斜めに伸長する構成とした請求項１に記載の折畳み式ごみ集積装置。
【請求項３】
前記天井部（１６）は、左右の少なくとも一方側の側面フレーム（２）上端側に支持された天井シート（１６）によって天井部の少なくとも一部を構成し、側面フレーム（２）の上端部から垂れ下がった天井シート（１６）を支持リンク（９）上に回し掛けることにより、上記ごみ収容スペース（Ｓ）上方をカバーする請求項１又は２に記載の折畳み式ごみ集積装置。
【請求項４】
天井シート（１６）がフレキシブルに変更可能に構成され、天井シート（１６）の端部が側面フレーム（２）の上端側に係止された請求項３に記載の折畳み式ごみ集積装置。
【請求項５】
展開姿勢に切換えられた左右の側面フレーム（２）の間に、左右方向の横フレーム（４）を着脱可能に架設し、該横フレーム（４）上にも前記天井シート（１６）を載置する請求項３又は４に記載の折畳み式ごみ集積装置。
【請求項６】
天井シート（１６）側と係合する係合部（１８）を、横フレーム（４）及び背面フレーム（１）にそれぞれ各別に形成した請求項５に記載の折畳み式ごみ集積装置。
【請求項７】
横フレーム（４）を、背面フレーム（１）側への移動が規制された状態で、左右の側面フレーム（２，２）間に架設する請求項６に記載の折畳み式ごみ集積装置。
【請求項８】
前記横フレーム（４）に前面シート（１４）を垂れ下げて設け、該前面シート（１４）によってごみ収容スペース（Ｓ）の前方を覆う請求項５乃至７の何れかに記載の折畳み式ごみ集積装置。
【発明の詳細な説明】
【技術分野】
【０００１】
折畳むことによりコンパクトに収納できる折畳み式ごみ集積装置に関する。
【背景技術】
【０００２】
家庭等で発生したごみは、ごみ袋に入れて所定の収集日に所定のごみ集積場等にまとめて出され、巡回に来る地方公共団体のごみ収集車によって回収される。このとき、ごみ集積場に集められるごみ袋は、カラス等によって荒らされる被害を防ぐためにごみ袋収集箱の中に集められるが、多くの集積場所は、回収作業が容易となるように道路に面した公共スペースに設置されているため、ごみ収集日以外の日には上記ごみ袋収集箱が車や歩行者の通行の妨げとなる。
【０００３】
上記のような事態を解決すべく、背面フレームと、該背面フレームの横方向の両端部に水平回動自在に軸支された側面フレームと、背面フレームの上端に上下回動自在に軸支された上面フレームとから箱状に構成され、ごみ袋が収容可能に展開された展開姿勢と、両側面フレームを内側へ回動して折畳み、上面フレームを下方に回動して折畳むことにより、コンパクトにした収納姿勢とに切換え可能に構成された特許文献１に記載の折畳み式ごみ集積装置が公知になっている。
【先行技術文献】
【特許文献】
【０００４】
【特許文献１】特開２００３−１０４５０１号公報
【発明の概要】
【発明が解決しようとする課題】
【０００５】
上記文献の折畳み式ごみ集積装置は、上記収納姿勢に切換えることによりコンパクトに収納できる一方で、収納姿勢時に側面視において背面フレーム、側面フレーム及び上面フレームの３枚のフレームが折重なるとともに、収納姿勢又は展開姿勢に姿勢切換を行うにあたり、上面フレームを上方回動させた状態で保持しつつ側面フレームの水平回動を行う必要があるため、切換作業に手間を要し、特に一人の場合に姿勢切換を容易に行えない場合があるという問題点があった。
【０００６】
本発明は、コンパクトに折畳まれた収納姿勢と、ごみ袋を収容可能に展開された展開姿勢とに切換え可能な折畳み式ごみ集積装置において、上記姿勢の切換を容易に行うことができるとともに、よりコンパクトに収納できる折畳み式ごみ集積装置を提供することを課題としている。
【課題を解決するための手段】
【０００７】
本発明は上記課題を解決するため、第１に、背面フレーム１と、該背面フレーム１の左右両端端側にそれぞれ水平回動自在に支持された左右の側面フレーム２，２とを備え、上記水平回動によって、背面フレーム１側に折畳まれて収納された収納姿勢と、背面フレーム１側から正面側に突出させて展開させた展開姿勢とに切換可能に前記左右の各側面フレーム２，２を構成し、展開姿勢に切換えられた左右の側面フレーム２，２の間に、ごみ収容スペースＳを形成する折畳み式ごみ集積装置において、背面フレーム１上端側と側面フレーム２上端側とを支持リンク９によって連結し、支持リンク９が、側面フレーム２の収納姿勢への切換えによって背面フレーム１側に収納されるとともに、側面フレーム２の展開姿勢への切換えによってごみ収容スペースＳ上方に展開されるように、前記支持リンク９を構成し、前記ごみ収容スペースＳ上方に展開された支持リンク９上に、ごみ収容スペースＳの上方を覆うシート状の天井部１６を載置して支持することを特徴としている。
【０００８】
第２に、前記支持リンク９は、中途部に設けた屈折部１３を介して折畳み可能に形成し、収納姿勢への切換えによって背面フレーム１側に折畳まれるとともに、展開姿勢への切換えによって平面視側面フレーム２側と背面フレーム１側との間に斜めに伸長する構成としたことを特徴としている。
【０００９】
第３に、前記天井部１６は、左右の少なくとも一方側の側面フレーム２上端側に支持された天井シート１６によって天井部の少なくとも一部を構成し、側面フレーム２の上端部から垂れ下がった天井シート１６を支持リンク９上に回し掛けることにより、上記ごみ収容スペースＳ上方をカバーすることを特徴としている。
【００１０】
第４に、天井シート１６がフレキシブルに変更可能に構成され、天井シート１６の端部が側面フレーム２の上端側に係止されたことを特徴としている。
【００１１】
第５に、展開姿勢に切換えられた左右の側面フレーム２の間に、左右方向の横フレーム４を着脱可能に架設し、該横フレーム４上にも前記天井シート１６を載置することを特徴としている。
【００１２】
第６に、天井シート１６側と係合する係合部１８を、横フレーム４及び背面フレーム１にそれぞれ各別に形成したことを特徴としている。
【００１３】
第７に、横フレーム４を、背面フレーム１側への移動が規制された状態で、左右の側面フレーム２，２間に架設することを特徴としている。
【００１４】
第８に、前記横フレーム４に前面シート１４を垂れ下げて設け、該前面シート１４によってごみ収容スペースＳの前方を覆うことを特徴としている。
【発明の効果】
【００１５】
本発明の上記構成によれば、展開姿勢に切換えることによりごみ収容スペースの上方に展開された支持リンクの上に、シート状の天井部を載置することによって、ごみ収容スペースの天井面を形成する構成により、側面フレームの水平回動による展開姿勢への切換えと、天井面の形成作業を別途順番に行うことができるため、一人でも容易に組立てることができる他、天井面を形成するためのフレームも必要ないため、側面フレームを収納姿勢に折畳んだ際によりコンパクトになる。
【００１６】
また、前記支持リンクは、中途部に設けた屈折部を介して折畳み可能に形成し、収納姿勢への切換えによって背面フレーム側に折畳まれるとともに、展開姿勢への切換えによって平面視側面フレーム側と背面フレーム側との間に斜めに伸長する構成とすれば、側面フレームの水平回動による収納姿勢及び展開姿勢への姿勢切換に伴って、前記支持リンクが所定の位置へと配置されるため、支持リンクを直接操作する必要がなく、利便性が向上する。
【００１７】
また、前記天井部は、左右の少なくとも一方側の側面フレーム上端側に支持された天井シートによって天井部の少なくとも一部を構成し、側面フレームの上端部から垂れ下がったフレキシブルに変形する天井シートを支持リンク上に回し掛けることにより、上記ごみ収容スペース上方をカバーする構成とすれば、天井シートを容易に支持リンクの上側に回し掛けることができるため、展開姿勢から容易にごみ収容スペースの天井を形成することができる。
【００１８】
さらに、展開姿勢に切換えられた左右の側面フレームの間に、左右方向の横フレームを着脱可能に架設し、該横フレーム上にも前記天井シートを載置すれば、天井シートの載置面が広くなり、天井シートがより安定して弛み難くなる。
【００１９】
また、天井シート側と係合する係合部を、該横フレーム及び背面フレームにそれぞれ各別に形成すれば、ごみ収容スペースの上方を覆った天井シートが横フレーム及び背面フレーム側に係合されてより安定的に保持される。
【００２０】
なお、横フレームを、背面フレーム側への移動が規制された状態で、左右の側面フレーム間に架設すれば、天井シートとの係合によって、背面フレームから遠ざかる側への移動も規制されるため、横フレームをより安定して側面フレーム間に架設できる。
【図面の簡単な説明】
【００２１】
【図１】折畳み式ごみ集積装置を示した全体斜視図である。
【図２】開閉フレームの収納姿勢及び展開姿勢を示す平面図である。
【図３】天井シートの上下回動を示す要部正面図である。
【図４】天井シートの載置姿勢を示す要部平面図である。
【図５】（Ａ）及び（Ｂ）は、可動体の上下スライドを示す要部側面図である。
【図６】別実施例１における支持リンクの動作を示す平面図である。
【図７】別実施例２における支持リンクの動作を示す要部平面図である。
【発明を実施するための形態】
【００２２】
図１は、本発明を適用した折畳み式ごみ集積装置の構成を示した全体斜視図である。同図より、折畳み式ごみ集積装置は、一部又は全部（図示する例では大部分）が開口した方形枠状の背面フレーム１及び該背面フレーム１の左右両端側にそれぞれ設けた方形枠状の側面フレーム２，２から構成される開閉フレーム３と、逆Ｌ字状の断面を有する左右長手状の横フレーム４とを備えている。
【００２３】
前記開閉フレーム３は、各側面フレーム２，２の一端側がヒンジ６を介して水平回動自在に背面フレーム１側に取付けられており、各側面フレーム２，２を背面フレーム１側へ折畳むことにより開閉フレーム３をコンパクトにした収容姿勢と、各側面フレーム２，２を正面側に突出するように展開回動することにより両側面フレーム２，２の間にごみ袋を収容するための収容スペース（ごみ収容スペース）Ｓを形成した展開姿勢とに切換え可能に構成されている。なお、方形枠状の背面フレーム１及び側面フレーム２の枠内（開口部分）には、それぞれの枠内に網状の防護ネット７が張られている。
【００２４】
また、開閉フレーム３には、背面フレーム１の上端部中央側と、側面フレーム２の上端部自由端側に取付けられたＬ字型のブラケット８との間を連結する支持リンク９が左右にそれぞれ設けられている。該各支持リンク９は、前記ブラケット８側に一端側がピン支持される長手板状の第１プレート１１の他端側と、背面フレーム１中央上端部に一端側がピン支持される長手板状の第２プレート１２の他端側とを連結ピン（屈曲部）１３を用いて水平方向に回動自在に固定することにより構成されている。なお、開閉フレーム３の姿勢切換に伴った上述の支持リンク９の動作については後述する。
【００２５】
また、開閉フレーム３を構成する各側面フレーム２，２には、上端部にフレキシブルに変形する方形状の天井シート（天井部）１６の一端側が支持されている。該天井シート１６の他端側は、丸棒状のバー１７が取付けられた自由端とすることにより、シート状の天井シート１６が、側面フレーム２の上端部を支点として揺動自在な態様で垂れ下げられている。すなわち、該天井シート１６は、上記バー１７を重りとして側面フレーム２の上端側から吊下げられた吊下げ姿勢で保持されている。また、該天井シート１６は、開閉フレーム３を展開姿勢に姿勢切換した後に、上記吊下げ姿勢から収容スペースＳの上方側をカバーして天井として機能する載置姿勢に切換えることができるが、その詳細は後述する。
【００２６】
前記横フレーム４は、展開姿勢に切換えられた各側面フレーム２，２の前端上端側のコーナーに、横フレーム４のＬ字部が係合するように載置することにより、一対の側面フレーム２，２の間に架設される。これにより、横フレーム４は、載置された位置から背面フレーム１側への回動が規制された状態となる。また、該横フレーム４には下端側に沿って網状の前面ネット（前面シート）１４が取付けられており、該前面ネット１４が収容スペースＳの前面側を覆うように構成されている。
【００２７】
なお、該横フレーム４は、開閉フレーム３が折畳まれた収納姿勢の場合には、背面フレーム１の上端部側に載置されることによって収納される。
【００２８】
次に、図２より、開閉フレーム３の姿勢切換に伴う前記支持リンク９の動作について説明する。図２は、開閉フレームの収納姿勢及び展開姿勢を示す平面図である。
図より、開閉フレーム３が収納姿勢時の場合、前記支持リンク９は、前記連結ピン１３を支点に折畳まれて第１プレート１１及び第２プレート１２が背面フレーム１の上端部側に収容される。これにより、第１プレート１１及び第２プレート１２は、平面視で背面フレーム１上端部に沿って収容されるため、開閉フレーム３の収納姿勢がコンパクトになる。
【００２９】
また、開閉フレーム３が収納姿勢から展開姿勢に切換えられた場合、前記支持リンク９は、連結ピン１３を支点に背面フレーム１の上端部側に折畳まれた第１プレート１１及び第２プレート１２の長手方向が同一軸心上に並ぶように回動することにより支持リンク９が伸長する。これにより、各支持リンク９は、収納姿勢から展開姿勢への姿勢切換に伴って、平面視で側面フレーム２の上端前部に取付けられたブラケット８と、背面フレーム１の上端中央部との間に斜めに架渡されるように配置される。ちなみに側面フレーム２はそれ以上開き側に回動されない状態になる。
【００３０】
次に、図１、図３及び図４より、天井シートの姿勢切換について説明する。図３は、天井シートの上下回動を示す要部正面図であり、図４は、天井シートの載置姿勢を示す要部平面図である。
図より、前記横フレーム４の上端部中央側及び背面フレーム１の上端部中央側には、それぞれ２箇所づつ（計４箇所）に係合孔１８（係合部）が穿設されている（図１参照）。該係合孔１８のうち、背面フレーム１側の各係合孔１８は、第２プレート１２がピン支持された位置よりも左右方向中央側に配置されており、横フレーム４側の係合孔１８は、横フレーム４が両側面フレーム２，２間に載置された際に、背面フレーム１側の係合孔１８と前後に並ぶ位置に配置されている。
【００３１】
また、前記天井シート１６の自由端側のバー１７には、円柱状の突起部１９が径方向外側に突設されている（図３参照）。該突起部１９は、バー１７が背面フレーム１上端部側及び横フレーム４上端部側に載置された際に、上述の係合孔１８に挿通され、天井シート１６が収容スペースＳの上面側で係止されるように構成されている。
【００３２】
すなわち、吊下げ姿勢の天井シート１６は、開閉フレーム３を展開姿勢にし、且つ両側面フレーム２，２前端側の間に横フレーム４を載置した状態において、側面フレーム２の上端側から垂れ下がっている状態の左右の天井シート１６を、側面フレーム２の上端部を支点に、収容スペースＳの上方側へ回し掛けることにより、天井シート１６を背面フレーム１の上端部、横フレーム４の上端部及び支持リンク９の上に載置し、前記突起部１９を前記係合孔１８に挿通固定することにより、天井シート１６が吊下げ姿勢から載置姿勢へと切換えられた姿勢で安定的に保持される（図３及び図４参照）。
【００３３】
このとき、左右の天井シート１６，１６は、それぞれ収容スペースＳの天井の左右略半分を形成し、天井シート１６の自由端側にあるバー１７は、背面フレーム１中央部と横フレーム４中央部との間に架渡され、天井シート１６の両端側は、それぞれ背面フレーム１及び横フレーム４の上に載置され、天井シート１６の中央面側は、側面フレーム２と背面フレーム１との間に斜めに架渡された支持リンク９上に載置されているため、天井シート１６が弛み難い構成となっている（図４参照）。
【００３４】
また、背面フレーム１側への移動が規制された状態で側面フレーム２間に載置された前記横フレーム４は、２つの突起部１９が前後の係合孔１８に係合されると、バー１７（天井シート１６）を介して背面フレーム１側に連結されるため、横フレーム４の前後動も規制され、横フレーム４をより安定した状態でその場に保持することができる。
【００３５】
上記により天井シート１６が載置姿勢に切換えられることにより、開閉フレーム３及び前面ネット１４で囲まれた収容スペースＳの天井面が形成されるため、折畳み式ごみ集積装置は、収容スペースＳに集積されたごみ袋がカラス等の被害にあうことを防止できる使用状態となる。
【００３６】
次に、図５より、可動体の構成について説明する。図５（Ａ）及び（Ｂ）は、可動体の上下スライドを示す要部側面図である。
図より、背面フレーム１の下部には左右に延びる方形筒状の可動体２１が設けられている（図１参照）。該可動体２１は、左右長手方向の端部の外周面がそれぞれ枠状の背面フレーム１の内周面側と当接しており、該背面フレーム１との当接面に穿設された長孔２２を介して両端側が固定ボルト２３によって締付けられることにより、可動体２１が背面フレーム１側に固定されている。
【００３７】
前記可動体２１は、固定ボルト２３を緩めることにより、上下方向にスライド移動させることができる。該可動体２１は、下方側については、可動体２１の下端部が背面フレーム１の下端部と同じ高さになる位置（図５（Ａ）参照）までスライド移動できる一方で、上方側については、背面フレーム１の枠内の上方中途部に左右方向に亘って設けられた長手板状の補強部２４とが接触する位置（図５（Ｂ）参照）までスライド移動させることができるとともに、再び固定ボルト２３を締付けることによって任意の高さで可動体２１を固定することができる。
【００３８】
これにより、開閉フレーム３の背面側の壁面に段差や配管等の突出部がある場所であっても、可動体２１の上下位置を調整して背面フレーム１の下端側に上記突出部を配置できるスペースを設けることにより開閉フレーム３を壁面側に詰めた位置に置くことができるため、様々な場所に省スペースで設置することができる。
【００３９】
なお、背面フレーム１の上端部後面側には、半円状の係止部２６が設けられている。該係止部２６を介して、コンパクトに折畳まれた折畳み式ごみ集積装置を、電柱その他の壁面側の物に、ロープ等によって縛付けることにより、該折畳み式ごみ集積装置の転倒を防ぐことができるとともに、前記使用状態においても強風等によりフレームが動くことを規制することができるため、安全性も向上する。
【００４０】
次に、図６に基づき、本発明の別実施例１について、上述の例と異なる点を説明する。図６は、別実施例１における支持リンクの動作を示す平面図である。
図より、前記支持リンク９は、展開姿勢時に背面フレーム１の上端部中央側と、側面フレーム２の上端部自由端側に取付けられたブラケット８との間を連結する単一の長手板状の連結プレート３１を備えている。該支持リンク９を構成する連結プレート３１の一端側は、側面フレーム２のブラケット８側に水平回動自在にピン支持される一方で、連結プレート３１の他端側は、展開姿勢時においては背面フレーム１中央側の展開用取付部３２に取付けられ、収納姿勢時においては背面フレームの端部側に配置される収納用連結部３３に取付けられる。
【００４１】
つまり、連結プレート３１の一端側は、開閉プレート３の姿勢を切換える度に連結箇所を変更するように構成されており、該連結プレート３１は、開閉フレーム３が収納姿勢の場合には背面フレーム１の上端部側に収納され、開閉フレーム３が展開姿勢の場合には収容スペースＳの上方側に展開される。
【００４２】
次に、図７に基づき、本発明の別実施例２について、上述の例と異なる点を説明する。図７は、別実施例２における支持リンクの動作を示す要部平面図である。
図より、前記支持リンク９は、展開姿勢及び収納姿勢への姿勢切換に伴ってスライド移動する単一の長手板状のスライドプレート３６を備えている。該スライドプレート３６の一端側は、側面フレーム２のブラケット８側に水平回動自在にピン支持される一方で、スライドプレート３６の他端側は、背面フレームの上端面側に左右方向に穿設されたガイド孔３７の上をスライド移動するように構成されている。なお、図示しない他方側の側面フレーム２に取付けられるスライドプレート３６の背面フレーム１側端部は、収納姿勢時に反対側のスライドプレート３６と接触しないように、背面フレーム１の上端面側に設けた左右方向の段差部に穿設されたガイド孔３７に取付けることにより高低差が設けられている。
【００４３】
これにより、スライドプレート３６のガイド孔３７側端部は、開閉フレーム３を展開姿勢に切換えることにより、ガイド孔３７上であって、スライドプレート３６が取付けられた側面フレーム２に近接する側にスライド移動され、スライドプレート３６が収容スペースＳの上方側に展開されるとともに、開閉フレーム３を収納姿勢に切換えることにより、スライドプレート３６が取付けられた側面フレーム２から離間する側にスライド移動されて、スライドプレート３６が背面フレーム１の上端部側に収納される。
【００４４】
なお、前記支持リンク９は、上述の構成に限定されるものではなく、開閉フレーム３が収納姿勢の場合に背面フレーム１の上端部側に収納され、開閉フレーム３が展開姿勢の場合に収容スペースＳの上方側に展開される構成であれば良い。
【符号の説明】
【００４５】
１  背面フレーム
２  側面フレーム
４  横フレーム
９  支持リンク
１３  連結ピン（屈曲部）
１４  前面ネット（前面シート）
１６  天井シート（天井部）
１８  係合孔（係合部）
Ｓ  収容スペース（ごみ収容スペース）
【図１】
2012171736.tif 000003
【図２】
2012171736.tif 000004
【図３】
2012171736.tif 000005
【図４】
2012171736.tif 000006
【図５】
2012171736.tif 000007
【図６】
2012171736.tif 000008
【図７】
2012171736.tif 000009